【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
プリンタ本体と開閉カバーを備えるプリンタであって、
記録紙を収納する収納部と、  前記開閉カバーに取り付けられているスタッカとを有し、
前記開閉カバーは、前記プリンタ本体の下端部に回転可能に支持され、前記収納部を閉じる位置である起立状態の閉じ位置から、前記収納部を開放する位置である所定角度だけ倒れた開き位置までの間を回転可能であり、
前記スタッカは、前記開閉カバーに回転可能に支持されており、前記プリンタ本体から排出された前記記録紙を受け取る突出位置から、所定角度回転した退避位置までの間を回転可能であることを特徴とするプリンタ。
【請求項２】
請求項１に記載のプリンタにおいて、
前記スタッカは、前記開閉カバーの前記開き位置側への回転に伴って下降していき、前記スタッカの下降方向の先端が前記プリンタの底面の延長面とほぼ同じ高さに到達した状態において、前記スタッカの回転中心から前記先端へ向かう直線が、前記延長面に対し所定の角度を成すことを特徴とするプリンタ。
【請求項３】
請求項１に記載のプリンタにおいて、
前記スタッカは、前記開閉カバーの前記開き位置側への回転に伴って下降していき、前記スタッカの下降方向の先端が前記プリンタ本体の底面の延長面とほぼ同じ高さに到達した状態において、前記先端から前記スタッカの回転中心へ向かう直線が、当該回転中心を通る垂線に対して、前記スタッカの回転中心から前記開閉カバーの回転中心へ向かう傾き方向と逆方向に傾いていることを特徴とするプリンタ。
【請求項４】
請求項１ないし３のいずれかに記載のプリンタにおいて、
前記スタッカは、前記開閉カバーに回転可能に支持される腕部を備えており、
前記開閉カバーが前記閉じ位置に向かって回転すると、前記腕部が前記開閉カバー側に向かって回転し、前記スタッカは前記突出位置に移動されることを特徴とするプリンタ。
【請求項５】
請求項４に記載のプリンタにおいて、
前記スタッカにおける回転中心からの前記腕部の長さは、前記スタッカの回転中心から前記開閉カバーの表面までの距離よりも長いことを特徴とするプリンタ。
【請求項６】
請求項１ないし５のいずれかの項に記載のプリンタにおいて、
前記プリンタ本体と前記開閉カバーの間に形成した排紙口を有し、
前記開閉カバーは、前記排紙口から排出される記録紙をガイドするための排紙ガイドを備え、
当該排紙ガイドは、前記開閉カバーから外方に突出しており、当該排紙ガイドの下端部に前記スタッカが回転可能に支持されていることを特徴とするプリンタ。
【請求項７】
請求項１ないし６のいずれかの項に記載のプリンタにおいて、
前記開閉カバーが前記開き位置側へ回転する際の速度を調整するダンパ機構を備えていることを特徴とするプリンタ。
【請求項８】
請求項１ないし７のいずれかの項に記載のプリンタにおいて、
前記開閉カバーが前記閉め位置の時、前記開閉カバーにおける前記スタッカにより覆われる部位に、窓部が形成されていることを特徴とするプリンタ。
【請求項９】
請求項１ないし７のいずれかの項に記載のプリンタにおいて、
前記開閉カバーは、前記プリンタ本体の前面に取り付けられており、前記プリンタ本体における前記記録紙の収納部に連通する開口を開閉することを特徴とするプリンタ。
【請求項１０】
請求項９に記載のプリンタにおいて、
前記開閉カバーが開き位置のとき、前記開口は、ロール状の前記記録紙を前記収納部に収納可能な大きさとなることを特徴とするプリンタ。
【手続補正２】
【補正対象書類名】明細書
【補正対象項目名】０００７
【補正方法】変更
【補正の内容】
【０００７】
上記の課題を解決するために、本発明のプリンタは、
プリンタ本体に取り付けられている開閉カバーと、
当該開閉カバーに取り付けられているスタッカとを有し、
前記開閉カバーは、前記プリンタ本体に回転可能に支持されている下端部を備え、当該下端部を中心として、起立状態の閉じ位置から、所定角度だけ倒れた開き位置までの間を旋回可能であり、
前記スタッカは、その一端が前記開閉カバーに回転可能に支持されており、前記一端を中心として、排出された記録紙を受け取る突出位置から上方に旋回した退避位置までの間を旋回可能であることを特徴とする。
プリンタ本体と開閉カバーを備えるプリンタであって、
記録紙を収納する収納部と、  前記開閉カバーに取り付けられているスタッカとを有し、
前記開閉カバーは、前記プリンタ本体の下端部に回転可能に支持され、前記収納部を閉じる位置である起立状態の閉じ位置から、前記収納部を開放する位置である所定角度だけ倒れた開き位置までの間を回転可能であり、
前記スタッカは、前記開閉カバーに回転可能に支持されており、前記プリンタ本体から排出された前記記録紙を受け取る突出位置から、所定角度回転した退避位置までの間を回転可能であることを特徴とする。
【手続補正３】
【補正対象書類名】明細書
【補正対象項目名】０００９
【補正方法】変更
【補正の内容】
【０００９】
本発明において、前記スタッカは、前記開閉カバーの前記開き位置側への旋回に伴って下降し、前記スタッカの下降方向の先端が前記プリンタ本体の底面と同じ高さに到達した状態において、前記先端と前記スタッカの旋回中心とを結ぶ直線が、当該旋回中心を通る垂線に対して、前記開閉カバーの傾き方向と逆方向に傾いているとよい。
前記スタッカは、前記開閉カバーの前記開き位置側への回転に伴って下降していき、前記スタッカの下降方向の先端が前記プリンタの底面の延長面とほぼ同じ高さに到達した状態において、前記スタッカの回転中心から前記先端へ向かう直線が、前記延長面に対し所定の角度を成すことを特徴とする。
前記スタッカは、前記開閉カバーの前記開き位置側への回転に伴って下降していき、前記スタッカの下降方向の先端が前記プリンタ本体の底面の延長面とほぼ同じ高さに到達した状態において、前記先端から前記スタッカの回転中心へ向かう直線が、当該回転中心を通る垂線に対して、前記スタッカの回転中心から前記開閉カバーの回転中心へ向かう傾き方向と逆方向に傾いていることを特徴とする。
【手続補正４】
【補正対象書類名】明細書
【補正対象項目名】００１０
【補正方法】変更
【補正の内容】
【００１０】
本発明において、前記スタッカは、スタッカ本体と、当該スタッカ本体から延びている腕部とを備え、当該腕部の一端が前記開閉カバーに回転可能に支持されており、前記開閉カバーが前記閉じ位置にある状態においては、前記スタッカは、その自重によって前記腕部が前記開閉カバー側に旋回すると共に、前記突出位置に保持されているとよい。
前記スタッカは、前記開閉カバーに回転可能に支持される腕部を備えており、
前記開閉カバーが前記閉じ位置に向かって回転すると、前記腕部が前記開閉カバー側に向かって回転し、前記スタッカは前記突出位置に移動されることを特徴とする。
このようにすると、腕部の上端を開閉カバーに回転可能に取り付けるだけで、開閉カバーの表面からプリンタ外方に突出する姿勢にスタッカ本体を保持できる。また、スタッカ本体を持ち上げるだけで、スタッカを退避位置側に旋回させることができる。
【手続補正５】
【補正対象書類名】明細書
【補正対象項目名】００１１
【補正方法】変更
【補正の内容】
【００１１】
本発明において、前記腕部の長さは、前記スタッカの旋回中心から前記開閉カバーの上端までの距離よりも長いとよい。
前記スタッカにおける回転中心からの前記腕部の長さは、前記スタッカの回転中心から前記開閉カバーの表面までの距離よりも長いことを特徴とする。
このようにすると、スタッカを退避位置側に旋回させるときに、開閉カバーの上端部分がスタッカ本体に干渉しない。よって、開閉カバーを開き位置側に倒したときに、スタッカの自由端側が開閉カバーとプリンタ本体の設置面との間に入り込まないようにすることができる。これにより、プリンタ本体の開口をより大きく開けるためにスタッカを取り外す手間を省略できる。
【手続補正６】
【補正対象書類名】明細書
【補正対象項目名】００１２
【補正方法】変更
【補正の内容】
【００１２】
本発明において、前記プリンタ本体における前記開閉カバーの上側の部位に形成した排紙口を有し、前記開閉カバーは、前記排紙口から排出される記録紙をガイドするための排紙ガイドを備え、当該排紙ガイドは、前記開閉カバーの上端部において当該開閉カバーの表面からプリンタ外方に突出しており、当該排紙ガイドの下端部に前記スタッカが回転可能に支持されているとよい。
前記プリンタ本体と前記開閉カバーの間に形成した排紙口を有し、
前記開閉カバーは、前記排紙口から排出される記録紙をガイドするための排紙ガイドを備え、
当該排紙ガイドは、前記開閉カバーから外方に突出しており、当該排紙ガイドの下端部に前記スタッカが回転可能に支持されていることを特徴とする。
このようにすると、排紙ガイドの下側において開閉カバーの表面からプリンタ外方に突出した姿勢でスタッカを保持することができるので、排紙ガイドから落ちる紙をスタッカで受けることができる。
【手続補正７】
【補正対象書類名】明細書
【補正対象項目名】００１４
【補正方法】変更
【補正の内容】
【００１４】
本発明において、前記開閉カバーが前記閉め位置の時、前記開閉カバーにおける前記スタッカにより覆われる部位に、窓部が形成されているとよい。このようにすると、スタッカを回転させて窓部を塞がない姿勢にすることができる。よって、スタッカを取り外さなくても窓部からプリンタ本体内のロール紙の残量を確認できる。
【手続補正８】
【補正対象書類名】明細書
【補正対象項目名】００１５
【補正方法】変更
【補正の内容】
【００１５】
本発明において、前記開閉カバーは、前記プリンタ本体の前面に取り付けられており、前記プリンタ本体における記録用紙の収納部に連通する開口を開閉するとよい。
前記開閉カバーが開き位置のとき、前記開口は、ロール状の前記記録紙を前記収納部に収納可能な大きさとなることを特徴とする。
このように、本発明は、プリンタ本体の前面に記録紙の交換用の開閉カバーが設けられた前開き式のプリンタに適用できる。